(57)【要約】      （修正有）【課題】両頭針を注射器に容易に取り付けるために、両頭針が収納された針収納ケースを保持する。針収納ケースを容易に取り外す。【解決手段】血糖計の先端に装着される計測具は、計測具ケース２８に収納されて、該計測具ケースの開口はシールで密封されている。注射器に装着される両頭針は、針収納ケースに収納されて、該針収納ケースの開口はシールで密封されている。操作補助具は、上面１１にキャップケース保持部１０２を有する。キャップケース保持部１０２は、計測具ケースが嵌合する嵌合凹部１１２と、嵌合凹部１１２の底部１１２ａに設けられ、針収納ケースの一部が嵌合し、下方に開口する嵌合孔１１４とを有する。底板は、嵌合孔１１４に対向する位置に設けられた裏孔１３０を有する。【選択図】図６
0003135393.tif 000002
【実用新案登録請求の範囲】
【請求項１】
両頭針と、閉鎖端と開口端とを有して該開口端より前記両頭針を出し入れ可能に収納する針収納ケースとを有する注射針ユニットを、前記両頭針の一方の針を貫通可能に封止する栓体を有する薬液容器を保持する注射器に取り付けるための操作補助具であって、
上下に離れて空間を形成する上面部材及び下面部材と、
前記上面部材に形成され、前記針収納ケースが嵌合する嵌合凹部と、
前記嵌合凹部に前記針収納ケースが嵌合した状態では、前記閉鎖端が、前記空間に突出するように前記嵌合凹部に形成された嵌合孔と、
前記下面部材に形成され、前記嵌合孔に対向する位置に設けられた裏孔と、
を有することを特徴とする操作補助具。
【請求項２】
両頭針と、閉鎖端と開口端とを有して該開口端より前記両頭針を出し入れ可能に収納する針収納ケースとを有する注射針ユニットを、前記両頭針の一方の針を貫通可能に封止する栓体を有する薬液容器を保持する注射器に取り付けるための操作補助具であって、
上下に離れて空間を形成する上面部材及び下面部材と、
前記上面部材に形成され、前記針収納ケースが嵌合する嵌合凹部と、
前記嵌合凹部に前記針収納ケースが嵌合した状態では、前記閉鎖端が、前記空間に突出するように前記嵌合凹部に形成された嵌合孔と、
前記下面部材に形成され、
前記上面部材と前記下面部材との間の少なくとも一方向の側面で、前記嵌合孔に嵌合された前記針収納ケースの下端部を臨む開口部と、
を有することを特徴とする操作補助具。
【請求項３】
請求項１又は２記載の操作補助具において、
前記針収納ケースは、周囲に等間隔に設けられた複数のリブを有し、
前記嵌合孔は、周囲に前記リブが嵌る複数の切欠きを有することを特徴とする操作補助具。
【請求項４】
請求項１〜３のいずれか１項に記載の操作補助具において、
前記下面部材に３以上の吸盤を有することを特徴とする操作補助具。
【請求項５】
請求項４記載の操作補助具において、
前記下面部材に、前記吸盤の上部係合片がスライドして保持される取付孔を有し、
前記取付孔は、大径部と小径部とからなる８字形状であって、
少なくとも一対の前記取付孔は、前記大径部に対する前記小径部の設けられている方向が異なることを特徴とする操作補助具。
【請求項６】
請求項５記載の操作補助具において、
本体が長尺形状であって、
前記大径部と前記小径部が本体の長尺方向に設けられていることを特徴とする操作補助具。
【請求項７】
請求項１〜５のいずれか１項に記載の操作補助具において、
血糖計を用いた血糖値の測定に使用される計測具を前記血糖計に装着するために、前記計測具か、又は前記計測具を収納する計測具ケースを保持する試験片保持部を有することを特徴とする操作補助具。
【請求項８】
請求項７記載の操作補助具において、
前記嵌合孔は、前記試験片保持部の底部に設けられていることを特徴とする操作補助具。
【請求項９】
請求項７又は８記載の操作補助具において、
前記計測具ケースは開口を有し、該開口が蓋体で密封されてることを特徴とする操作補助具。
【考案の詳細な説明】
【技術分野】
【０００１】
本考案は、血糖計を用いた血糖値等の計測あるいは注射器による注射をする際に用いる操作補助具に関し、特に、注射器に装着される注射針を簡便に扱うことのできる操作補助具に関する。
【背景技術】
【０００２】
糖尿病等の患者は、血糖値が適正値となるように日頃から管理をすることが求められている。血糖値の管理は、先ず、穿刺装置を用い、キャップを外した穿刺針により血液を微量出し、該血液を計測具の試験紙に含浸させて血糖計により計測を行う。血糖値の計測は光学的計測や電気抵抗により計測することが可能である。血糖値を測定した後、医師の指示に従いインシュリン入の注射器本体に両頭針を装着し、インシュリンを適量注射することが行われている。
【０００３】
このような一連の血糖値管理操作では、穿刺装置に装着される穿刺針、血糖計に装着される計測具、及び注射器に装着される注射針はそれぞれ使い捨て型となっている。穿刺針、計測具及び注射針は、相当に工夫がなされており、穿刺装置、血糖計及び注射器に対して容易に着脱することができる。
【０００４】
しかしながら、糖尿病患者等は高齢者が多く、手指が不自由であったり、片腕しか使えない患者もいる。さらに、糖尿病の合併症で手指が不自由になったり、視力が低下し、又は失明している患者もいる。このような患者にとっては、穿刺針、計測具及び注射針の扱いは容易ではない場合がある。
【０００５】
このような観点から、本出願人は特許文献１において、計測具を取り出すための計測具ケース保持部と、穿刺器具に装着して使用される穿刺針を起立状態で保持する孔で構成された穿刺針保持部と、穿刺針からキャップを取り外すためのキャップ離脱部と、穿刺装置から穿刺針を取り外すための穿刺針離脱部とを有する補助具を提案している。これらの各機能部は使用する順序に並んで配置されている。
【０００６】
また、特許文献２には、両頭針を収納した針ユニットを回転しないように挿入できる複数の針ユニット係合穴が上面に形成された針収納ケースが開示されている。
【０００７】
【特許文献１】特開２００１−２４５８７３号公報
【特許文献２】特許第３０３５２９２号公報
【考案の開示】
【考案が解決しようとする課題】
【０００８】
前記の特許文献１記載の補助具によれば、血糖値管理操作で用いる部品を容易に扱うことができて好適である。しかしながら、該補助具では注射針を保持する機能が含まれていない。注射針は両頭針であって、後方針が注射器の本体の先端ゴム栓を貫通する必要から螺設され、注射針が収納された針ユニットを回転しないように確実に保持する機能部を有すると好ましい。このように針ユニットを保持しておき、注射器を針ユニットに対して時計回りに螺入することによって注射針の後方針が先端ゴム栓を貫通して内部のインシュリンを注射することが可能となる。
【０００９】
前記の特許文献２記載の針収納ケースにおける針ユニット係合穴によれば、針ユニットを回転しないように保持しておくことができる。したがって、このような針ユニット係合穴を特許文献１記載の補助具にも設ければ、穿刺針、計測具及び注射針をそれぞれ簡便に扱うことができる。
【００１０】
注射針ユニットは、注射器に対して時計回りに螺入して装着されることから針ユニット係合穴に安定して堅固に固定されていることが望ましい。
【００１１】
さらに、注射針ユニットは、注射後には注射器本体から抜くために、補助具に保持された針収納ケースに対して挿入し、注射器本体を反時計周りに回転させる。これにより注射針ユニットは、注射器本体から抜けることになるが、このとき後端側針が注射器本体の先端ゴム栓から抜けるため相当程度の抵抗があり、針収納ケースは針ユニット係合穴から不用意に抜けない程度に硬く固定されていることが望ましい。
【００１２】
他方、最終的には針収納ケースは補助具から取り外さなければならないが、針ユニット係合穴にあまり強く固定されていると抜けにくくなる。
【００１３】
本考案は、このような課題を考慮してなされたものであり、血糖計の先端に装着される計測具や注射器に装着される注射針を容易に扱うことができ、しかも注射針を収納する針収納ケースを確実に保持することができるとともに使用後には容易に取り外すことのできる操作補助具を提供することを目的とする。
【課題を解決するための手段】
【００１４】
本考案は、両頭針と、閉鎖端と開口端とを有して該開口端より前記両頭針を出し入れ可能に収納する針収納ケースとを有する注射針ユニットを、前記両頭針の一方の針を貫通可能に封止する栓体を有する薬液容器を保持する注射器に取り付けるための操作補助具であって、上下に離れて空間を形成する上面部材及び下面部材と、前記上面部材に形成され、前記針収納ケースが嵌合する嵌合凹部と、前記嵌合凹部に前記針収納ケースが嵌合した状態では、前記閉鎖端が、前記空間に突出するように前記嵌合凹部に形成された嵌合孔と、前記下面部材に形成され、前記嵌合孔に対向する位置に設けられた裏孔とを有することを特徴とする。
【００１５】
また、本考案は、両頭針と、閉鎖端と開口端とを有して該開口端より前記両頭針を出し入れ可能に収納する針収納ケースとを有する注射針ユニットを、前記両頭針の一方の針を貫通可能に封止する栓体を有する薬液容器を保持する注射器に取り付けるための操作補助具であって、上下に離れて空間を形成する上面部材及び下面部材と、前記上面部材に形成され、前記針収納ケースが嵌合する嵌合凹部と、前記嵌合凹部に前記針収納ケースが嵌合した状態では、前記閉鎖端が、前記空間に突出するように前記嵌合凹部に形成された嵌合孔と、前記下面部材に形成され、前記上面部材と前記下面部材との間の少なくとも一方向の側面で、前記嵌合孔に嵌合された前記針収納ケースの下端部を臨む開口部とを有することを特徴とする。
【００１６】
このような、嵌合凹部及び嵌合孔とを設けるとともに、嵌合孔に対向する位置の裏孔か、又は、嵌合孔に嵌合された針収納ケースの閉鎖端を臨む開口部を設けることにより、閉鎖端の下面を指で押し上げることができ、針収納ケースを容易に取り外すことができる。
【００１７】
前記針収納ケースは、周囲に等間隔に設けられた複数のリブを有し、前記嵌合孔は、周囲に前記リブが嵌る複数の切欠きを有していてもよい。これにより、針収納ケースを一層安定して保持することができ、注射器を螺入して注射針を装着することができる。
【００１８】
前記下面部材に３以上の吸盤を有すると、傾斜し又は回転することなく、操作補助具が安定して保持される。
【００１９】
前記下面部材に、前記吸盤の上部係合片がスライドして保持される取付孔を有し、前記取付孔は、大径部と小径部とからなる８字形状であって、少なくとも一対の前記取付孔は、前記大径部に対する前記小径部の設けられている方向が異なるとよい。これにより、本体がいずれの方向から外力を受けても、いずれか１つの取付孔に設けられた吸盤が外力に抗することができ、本体が不用意に取り外されることがない。
【００２０】
本体が長尺形状であって、前記大径部と前記小径部が本体の長尺方向に設けられていると、操作補助具を短尺方向に傾動させて、底面から吸盤を簡便に取り外すことができる。
【００２１】
血糖計を用いた血糖値の測定に使用される計測具を前記血糖計に装着するために、前記計測具か、又は前記計測具を収納する計測具ケースを保持する試験片保持部を有しているよい。
【００２２】
前記嵌合孔は、前記試験片保持部の底部に設けられていると、注射針ユニットを保持する部分と共通化が図られ、コンパクトで扱いやすくなる。
【００２３】
前記計測具ケースは開口を有し、該開口が蓋体で密封されているとよい。
【考案の効果】
【００２４】
本考案に係る操作補助具によれば、嵌合凹部及び嵌合孔とを設けるとともに、嵌合孔に対向する位置の裏孔か、又は、嵌合孔に嵌合された針収納ケースの閉鎖端を臨む開口部を設けることにより、閉鎖端の下面を指で押し上げることができ、針収納ケースを容易に取り外すことができる。
【考案を実施するための最良の形態】
【００２５】
以下、本考案に係る操作補助具の実施形態を挙げ、添付の図１〜図１７を参照しながら説明する。本実施の形態に係る操作補助具１０（図５参照）は、血糖値管理における一連の穿刺、血糖値計測、及びインシュリン注射に係る操作で用いられるものであり、穿刺装置１２（図１参照）への穿刺針１６の着脱、血糖計２２（図２参照）への計測具２６の装着、注射器３２（図３参照）への両頭針３６の着脱を容易に行うためのものである。操作補助具１０の説明に先立ち、穿刺装置１２、血糖計２２、及び注射器３２について説明する。
【００２６】
図１に示すように、穿刺装置１２は、穿刺針ユニット１４の穿刺針１６を先端に装着して穿刺を行って血液を微量出すためのものであって、棒形状である。穿刺針ユニット１４は、穿刺針１６と、該穿刺針１６の先端を覆うキャップ１８とを有する。穿刺針１６は、内部に針１６ａと、該針１６ａを保持するハブ１６ｂとを有する。針１６ａは、前方のキャップ１８と後方のハブ１６ｂによって滅菌状態に保たれている。穿刺針１６は、多段の筒形状であって、フランジ１６ｃを有する。
【００２７】
穿刺装置１２は、穿刺針１６が装着されると内部のばねが圧縮された状態で保持され、穿刺ボタン１２ａを押すことにより圧縮が解除されて針１６ａが一瞬突出して皮膚を適度に穿刺することができる。この際の針１６ａの突出量は、ダイヤル１２ｂの操作により調整することができる。使用後の穿刺針１６は穿刺装置１２から取り外されて、所定の方法によって廃棄される。キャップ１８は筒形状であって、先端にフランジ（第２フランジ）１８ａを有する。
【００２８】
図２に示すように、血糖計２２は、計測具ユニット２４の計測具２６を先端に装着して血糖計測を行い、計測結果をモニタ２２ａに表示するものである。計測具ユニット２４は、試験片としての計測具２６と、該計測具２６を収納する円柱状の計測具ケース２８と、該計測具ケース２８の開口を密封するシール３０とを有する。計測具２６は、先端部に開口する細径の毛細管２６ａ（図８参照）と、該毛細管２６ａの他方の開口部を塞ぐように設けられた試験紙２６ｂ（図８参照）とを有する。試験紙２６ｂには、血糖に反応する試薬が含浸されている。
【００２９】
計測具２６は、血糖計測を行うときにシール３０を剥がして取り出されて、キャップ２２ｂを取り外した血糖計２２に装着され、血液が含浸される。キャップ２２ｂは本体に対してストラップで接続されている。
【００３０】
血糖計２２は、電源スイッチ２２ｃを一度押すとオンとなって自動的に計測を開始し、計測具２６の試験紙２６ｂに含浸された血液の発色の変化を検出し、所定の計算を行って得られた血糖値をモニタ２２ａに表示する。計測結果は内部のメモリに記録され、呼び出しボタン２２ｄの操作により計測結果の履歴を表示することができる。使用後の計測具２６は、レバー２２ｅの操作によってピン２２ｆが突出することにより血糖計２２から取り外され、所定の方法によって廃棄される。
【００３１】
図３に示すように、注射器３２は、注射針ユニット３４の両頭針３６を先端に装着して注射を行うものである。注射器３２は、筒状のホルダ３７と、該ホルダ３７に挿入されるカートリッジ（薬液容器）３８と、注射器本体４０とを有する。ホルダ３７の先端部には雄ねじ部３７ａが設けられている。カートリッジ３８はガラス管であって、内部にインシュリンが満たされている。カートリッジ３８の先端にはゴム栓３８ａが設けられ、後端にはピストン３８ｂが設けられている。注射器本体４０は、ホルダ３７に接続され、シリンダ４０ａによりピストン３８ｂを前方に向けて押圧することができる。
【００３２】
注射針ユニット３４は、両頭針３６と、該両頭針３６を収納する針収納ケース４２と、該針収納ケース４２の開口を密封するシール４４と、両頭針３６の先端針３６ａを覆う小さい針キャップ４６とを有する。針キャップ４６は、両頭針３６とともに針収納ケース４２内に収納されている。
【００３３】
針収納ケース４２の周囲には複数（例えば８本）の等間隔のリブ４２ａが放射状に設けられており、内周には複数（例えば４本）の等間隔のリブ４２ｂ（図９参照）が放射状に設けられている。
【００３４】
図４に示すように、両頭針３６は両頭の針を有し、先端針３６ａと、該先端針３６ａと一体で後方を指向する後方針３６ｂと、これらの先端針３６ａ及び後方針３６ｂを保持するクラウン形状のハブ３６ｃとを有する。ハブ３６ｃは後方に開口しており、周囲に放射状に設けられたの等間隔のリブ３６ｄと、内周に設けられた雌ねじ部３６ｅとを有する。両頭針３６は、針収納ケース４２に収納された状態では、リブ３６ｄが針収納ケース４２のリブ４２ｂに係合し、回転しないように保持されている。雌ねじ部３６ｅは、注射器３２の雄ねじ部３７ａと螺合可能であり、両頭針３６が注射器３２に装着されることにより、後方針３６ｂがゴム栓３８ａを貫通して注射が可能になる。両頭針３６は、時計回転して注射器３２に螺合し、反時計回転して注射器３２から取り外される。
【００３５】
次に、本実施の形態に係る操作補助具１０について説明する。
【００３６】
図５及び図６に示すように、操作補助具１０は、本体１０ａと底板１０ｂとからなる横長の箱形状であって、樹脂により構成されている。
【００３７】
操作補助具１０の上面（上面部材）１１には、部品載置部１００と、キャップケース保持部１０２と、穿刺針保持部１０４と、キャップ離脱部１０６と、穿刺針離脱部１０８とを有する。これらの部品載置部１００、キャップケース保持部１０２、穿刺針保持部１０４、キャップ離脱部１０６及び穿刺針離脱部１０８の上部周辺には、各部品が挿入されやすいように案内するテーパ面が設けられている。操作補助具１０の１つの側面には把持しやすいように窪み１１０が設けられている。窪み１１０は親指をかけやすい大きさであり、該窪み１１０に親指をかけ、反対側の面に他の４本の指をかけて操作補助具１０を確実に保持することができる。
【００３８】
部品載置部１００は、使用前又は使用後の各種の部品を仮置きするために用いられる。
【００３９】
図６及び図７に示すように、キャップケース保持部１０２は、嵌合凹部１１２と、該嵌合凹部の底部１１２ａに設けられて下方に開口する嵌合孔（試験片保持部）１１４とを有する。嵌合凹部１１２は、等間隔に設けられた３つのリブ１１６と、各リブ１１６の左右及び下方を囲うように設けられた開口１１８とを有する。つまり、各リブ１１６は上部だけが本体に接続されており、径方向に多少の弾性変形が可能である。リブ１１６は、多少の弾性変形をして計測具ユニット２４の計測具ケース２８を保持することができる。
【００４０】
嵌合孔１１４は、周囲に等間隔の６つの切欠き１２０を有する。嵌合孔１１４は、針収納ケース４２の先端部が嵌合する大きさである。各切欠き１２０には針収納ケース４２のリブ４２ｂが嵌り、該針収納ケース４２の回り止めとなる。
【００４１】
図８に示すように、キャップケース保持部１０２は、第１の機能として、計測具２６を血糖計２２の先端に装着するために計測具ユニット２４を保持する機能を有する。すなわち、計測具ユニット２４を嵌合凹部１１２に嵌合させることにより、計測具ケース２８が底部１１２ａに載り、計測具ケース２８の側面がリブ１１６によって保持される。
【００４２】
リブ１１６の内面は下に向かって狭くなるテーパ形状となっており、テーパ面の摩擦により、計測具ケース２８に対してある一定の力で適度に固く嵌合がなされる。
【００４３】
この後、シール（蓋体）３０を剥がして内部の計測具２６の上面を露呈させて、血糖計２２の先端部を下に向けて押し込み、該先端部に計測具２６を装着させることができる。このとき、計測具ユニット２４は、リブ１１６により軽く固定されているので、シール３０を剥がしやすい。また計測具ユニット２４は、底部１１２ａに安定して載置されており、血糖計２２を押し下げることにより計測具２６が容易に装着される。また、血糖計２２を押し下げることにより後述する吸盤１３２（図１３参照）が押圧されて内部の空気が排出され、載置されている台上に固定される。吸盤１３２は、例えば透明である。
【００４４】
血糖計２２を上方に引き上げることにより、計測具２６は血糖計２２とともに引き上げられる。計測具ケース２８はリブ１１６により弾性的に軽く固定されているだけであり、しかも本体は吸盤１３２（図１３参照）により固定されており、計測具ケース２８は片手でも取り外しやすい。
【００４５】
図９に示すように、キャップケース保持部１０２は、第２の機能として、注射針ユニット３４を保持する機能を有する。注射針ユニット３４の一部を嵌合孔１１４に嵌合させることにより、切欠き１２０にリブ４２ｂが嵌って回り止めとなる。注射針ユニット３４内において、両頭針３６は針収納ケース４２に対してリブ３６ｄとリブ４２ｂが係合していることによって回り止めがなされている。
【００４６】
注射針ユニット３４の針収納ケース４２の嵌合孔１１４に挿入される部分の外面は下に向かって狭くなるテーパ形状となっており、テーパ面の摩擦により、注射針ユニット３４を押し込む程に固く嵌合がなされる。
【００４７】
この後、シール（蓋体）４４を剥がして内部の両頭針３６の上面を露呈させる。注射針ユニット３４は、嵌合孔１１４に適度に固く嵌合しているので、シール４４を剥がしやすい。
【００４８】
さらに、注射器３２を時計方向に回転させながら押し下げ、雄ねじ部３７ａを両頭針３６の雌ねじ部３６ｅに螺入させる。これにより、両頭針３６が注射器３２に装着され、両頭針３６の後方針３６ｂがゴム栓３８ａを貫通して、カートリッジ３８内のインシュリンに達する。このとき、両頭針３６は針収納ケース４２に対して回り止めがなされており、該針収納ケース４２は本体１０ａに対して回り止めがなされており、操作補助具１０は吸盤１３２によって載置されている台に固定されていることから、雄ねじ部３７ａを両頭針３６に安定して螺入することができる。
【００４９】
注射器３２を上方に引き上げることにより、両頭針３６は注射器３２とともに引き上げられる。両頭針３６の先端針３６ａに付いている針キャップ４６は取り外す。該針キャップ４６は、極めて軽い力で取り外しが可能であり、手又は口を用いて取り外すことができる。
【００５０】
針収納ケース４２は嵌合孔１１４に対してある程度固く固定されていることから引き上げにくい場合もあるが、そのときには後述する裏孔１３０（図１３０参照）から指を挿入して押し出せばよい。
【００５１】
次に、図１０に示すように、穿刺針保持部１０４は有底の穴であって、穿刺針ユニット１４と比較して適度に浅く、穿刺針ユニット１４が倒れない程度に大径である。穿刺針保持部１０４には、穿刺針ユニット１４を起立した状態で保持することができ、上方から穿刺装置１２を押し下げることにより該穿刺装置１２の先端に穿刺針ユニット１４を装着することができる。この状態では、穿刺針１６にキャップ１８が付いている。
【００５２】
図１１に示すように、キャップ離脱部１０６は、穿刺針ユニット１４の先端部分を係合することのできる筒状の溝であり、キャップ２０のフランジ２０ａが係合する深溝（第１溝）１０６ａが設けられている。
【００５３】
穿刺装置１２に装着された穿刺針ユニット１４をキャップ離脱部１０６に載置し、フランジ２０ａを深溝１０６ａに係合させた状態で穿刺装置１２を引き抜くと、穿刺針１６は穿刺装置１２に装着されたまま、キャップ１８だけが取り外される。
【００５４】
図１２に示すように、穿刺針離脱部１０８は、穿刺針ユニット１４が係合することのできる筒状の溝であり、穿刺針１６のフランジ（第１フランジ）１６ｃが係合する深溝（第２溝）１０８ａが設けられている。
【００５５】
穿刺の終了後、穿刺装置１２に装着された穿刺針１６を穿刺針離脱部１０８に載置し、フランジ１６ｃを深溝１０８ａに係合させた状態で穿刺装置１２を引き抜くと、穿刺針１６が穿刺装置１２から取り外される。
【００５６】
図１３に示すように、操作補助具１０の裏面の底板（下面部材）１０ｂは、裏孔１３０と、４つの吸盤１３２と、複数のビス１３４とを有する。本体１０ａの内部には図示しない複数の支柱が下向きに設けられており、該支柱に対して底板１０ｂがビス１３４により固定されている。
【００５７】
裏孔１３０は、前記の嵌合孔１１４に対向する位置に設けられており、指を挿入できる程度の大きさを有する。吸盤１３２は、底板１０ｂの略四隅に配置されており、それぞれ取付用の取付孔１３６に挿入されて固定されている。取付孔１３６は、大径部１３６ａと小径部１３６ｂとからなる略８字形状である。大径部１３６ａと小径部１３６ｂは、操作補助具１０の長尺方向に並んで設けられており、具体的には、図１３の右側の取付孔１３６は、大径部１３６ａが小径部１３６ｂの左側に設けられており、左側の取付孔１３６は、大径部１３６ａが小径部１３６ｂの右側に設けられている。吸盤１３２の上端には大径部１３６ａより小径で、且つ小径部１３６ｂより大径の係合片（図示せず）が設けられている。該係合片は、大径部１３６ａに挿入されて横方向にスライドすることにより、吸盤１３２が底板１０ｂに保持される。
【００５８】
少なくとも一対の取付孔１３６が、大径部１３６ａに対する小径部１３６ｂの設けられている方向が異なることにより、本体がいずれの方向から外力を受けても、いずれか１つの取付孔１３６に設けられた吸盤１３２が外力に抗することができ、本体が不用意に取り外されることがない。
【００５９】
キャップケース保持部１０２及び穿刺針保持部１０４は、平面視で、４つの吸盤１３２で四隅が形成される四角形の範囲内にある。したがって、キャップケース保持部１０２に置いた計測具ユニット２４に血糖計２２を押圧するとき、及び穿刺針保持部１０４に置いた穿刺針ユニット１４に穿刺装置１２を押圧するときに、４つの吸盤１３２はバランス良く押圧され、内部の空気が排出されて台上に吸着する。
【００６０】
次に、このように構成される操作補助具１０の使用例について説明する。
【００６１】
先ず、操作者は、図８に示すように、キャップケース保持部１０２に計測具ユニット２４を挿入してシール３０を取り外した後に、血糖計２２を押し下げて、該血糖計２２の先端に計測具２６を装着する。このとき、操作補助具１０は、下方に向かって押圧されることから、吸盤１３２内の空気が抜けて、該吸盤１３２が台上に吸着する。キャップケース保持部１０２は、操作補助具１０におけるやや左側に設けられていることから、４つの吸盤１３２のうち、特に左側の２つの吸盤１３２が吸着する。血糖計２２は引き上げて、電源スイッチ２２ｃを押してスタンバイ状態にしておく。ピン２２ｆ（図８参照）は、計測具２６の端面により押圧されて縮退する。
【００６２】
次に、図１０に示すように、穿刺針保持部１０４に未使用の穿刺針ユニット１４を立てて、上方から穿刺装置１２を押し下げて、該穿刺装置１２の先端に穿刺針ユニット１４を装着する。この操作により、穿刺針１６のハブ１６ｂは穿刺装置１２内のスプリングを圧縮して所定の係合部に係合し、穿刺の準備がなされる。このとき、操作補助具１０は下方に向かって押圧されることから、吸盤１３２内の空気が抜けて、該吸盤１３２が台上にさらに強く吸着する。穿刺針保持部１０４は、操作補助具１０におけるやや右側に設けられていることから、４つの吸盤１３２のうち、特に右側の２つの吸盤１３２が吸着する。
【００６３】
さらに、図１１に示すように、穿刺針ユニット１４をキャップ離脱部１０６に載置して、フランジ１８ａを深溝１０６ａに係合させた状態で穿刺装置１２を側方に引き抜くことにより、キャップ２０が穿刺針１６から取り外される。このとき、操作補助具１０は吸盤１３２によって固定されていることから、穿刺装置１２を側方に引き抜きやすい。
【００６４】
次いで、穿刺装置１２に装着された穿刺針１６を皮膚に当て、穿刺ボタン１２ａを押すことによりコイルスプリングの圧縮状態が解除されて、ハブ１６ｂ及び針１６ａが前方に一瞬突出し、穿刺がなされて微量の血液が出る。ハブ１６ｂ及び針１６ａは、図示しないリターンスプリングにより穿刺針１６内に戻る。
【００６５】
血糖計２２に装着された計測具２６の先端を血液に接触させる。これにより、血液は毛細管２６ａを通って試験紙２６ｂに含浸され、試薬によって呈色することにより光学的に自動的に血糖値が測定される。測定された血糖値はモニタ２２ａに表示されるので、患者は値を確認する。
【００６６】
さらに、図１２に示すように、穿刺装置１２に装着された穿刺針１６を穿刺針離脱部１０８に載置して、フランジ１６ｃを深溝１０８ａに係合させた状態で、穿刺装置１２を側方に引き抜くことにより、穿刺針１６が取り外される。このとき、操作補助具１０は吸盤１３２によって固定されていることから、穿刺装置１２を側方に引き抜きやすい。取り外された穿刺針１６は所定の手順により破棄する。
【００６７】
次いで、血糖計２２の先端の計測具２６をキャップケース保持部１０２に残っている計測具ケース２８内に挿入し、レバー２２ｅを操作することにより、ピン２２ｆを突出させて計測具２６を血糖計２２から取り外し、シール３０を覆い被せる。取り外した計測具２６は、計測具ケース２８とともに所定の手順により破棄する。
【００６８】
次に、インシュリンの注射をするために、以下の手順を続行して行う。
【００６９】
図９に示すように、注射針ユニット３４をキャップケース保持部１０２に挿入し、シール４４を剥がす。
【００７０】
次いで、注射器３２の先端を注射針ユニット３４の両頭針３６の開口部に挿入して時計方向に回転して螺入する。このとき、操作補助具１０は、キャップケース保持部１０２の四方に設けられた吸盤１３２により固定されていることから、回転することなく螺入操作が安定して行われる。両頭針３６の後方針３６ｂはゴム栓３８ａを貫通してインシュリンの注射をする準備がなされる。
【００７１】
次いで、注射器３２を引き上げて、手又は口により先端針３６ａから針キャップ４６を取り外す。針キャップ４６は極めて軽い力で取り外しが可能であり、キャップ離脱部１０６のような機構を用いる必要はない。
【００７２】
針キャップ４６を取り外した後、先端針３６ａを皮膚に穿刺して注射器本体４０を操作して適量のインシュリンを注射する。
【００７３】
注射の後、注射器３２の両頭針３６をキャップケース保持部１０２に残っている針収納ケース４２に挿入する。これにより、ホルダ３７はリブ３６ｄが針収納ケース４２内のリブ４２ｂに係合して回り止めがなされる。この場合も、操作補助具１０は、吸盤１３２により固定されており、注射器３２を安定して回転させることができる。注射器３２を反時計方向に回転させることにより、該注射器３２から両頭針３６が取り外され、シール４４を覆い被せる。取り外した両頭針３６は、針収納ケース４２とともに所定の手順により破棄する。
【００７４】
このとき、針収納ケース４２はキャップケース保持部１０２にある程度固く固定されており、後方針３６ｂがゴム栓３８ａから抜ける際の相当程度の抵抗力が加わってもによって不用意に抜けてしまうことがない。
【００７５】
この後、針収納ケース４２を抜き取るが、該針収納ケース４２はキャップケース保持部１０２にある程度固く固定されていることから、引き抜きにくい場合もある。このような場合には、先ず、操作補助具１０を傾けて吸盤１３２を台上から引きはがし、操作補助具１０を取り外す。このとき、操作補助具１０は横方向に長尺であることから、図１４に示すように短尺方向に傾動させるとよい。そうすると、各吸盤１３２は、台から引きはがされるときに、矢印Ａ方向の力（又はモーメント）を受けることになるが長尺方向の力は受けることがなく、各吸盤１３２が取り付けられている取付孔１３６の大径部１３６ａと小径部１３６ｂとは長尺方向に設けられていることから、吸盤１３２が該取付孔１３６から抜けてしまうことがない。
【００７６】
この後、図１５に示すように、操作補助具１０を手で把持して、裏孔１３０から指（例えば親指）を挿入して針収納ケース４２の下端部を押すことにより、該針収納ケース４２は簡便にキャップケース保持部１０２から取り外される。
【００７７】
上述したように、本実施の形態に係る操作補助具１０によれば、両頭針３６が収納された針収納ケース４２を適切に保持して、両頭針３６を注射器３２に容易に取り付けることができる。また、嵌合孔１１４に対向する位置に裏孔１３０が設けられていることから、針収納ケース４２の閉塞端の下端を指で押し上げることができ、該針収納ケース４２を容易に取り外すことができる。このような作用を実現するためには、裏孔１３０は図１３に示すような形状に限らず、例えば、吸盤１３２を取り付ける箇所以外の底板１０ｂのほぼ全面が開口していてもよい。
【００７８】
さらに、嵌合凹部１１２と、底部１１２ａの嵌合孔１１４とを有することにより、キャップケース保持部１０２は１箇所で計測具ユニット２４の計測具ケース２８と注射針ユニット３４の針収納ケース４２を保持することができ、小型化が可能となる。
【００７９】
針収納ケース４２は、周囲に等間隔に設けられた複数のリブ４２ａを有し、嵌合孔１１４は、周囲にリブ４２ａが嵌る複数の切欠き１２０を有していることから針収納ケース４２を一層安定して保持することができ、注射器３２を螺入して両頭針３６を確実に装着することができる。
【００８０】
また、底板１０ｂには略四隅にそれぞれ吸盤１３２を有していることから、操作をするときに操作補助具１０が傾斜し又は回転することなく、安定して保持される。吸盤１３２は少なくとも３以上設けると、操作補助具１０が安定する。
【００８１】
吸盤１３２を取り付ける取付孔１３６は操作補助具１０の長尺方向に設けられていることから、操作補助具１０を短尺方向に傾動させて、底板１０ｂから吸盤１３２を簡便に取り外すことができる。
【００８２】
操作補助具１０は穿刺針保持部１０４と、穿刺針離脱部１０８と、キャップ離脱部１０６とを有しており、穿刺針１６及びキャップ１８を容易に扱うことができる。
【００８３】
操作補助具１０は、簡便な操作が可能であり、手指が不自由な患者や、視力が低下し又は失明している患者であっても確実な操作が可能となる。操作補助具１０は、片手しか使うことのできない患者でも操作が可能である。
【００８４】
操作補助具１０の構成材料としては、特に限定されず、例えば、アクリル系樹脂、ポリスチレン、ポリエチレン、ポリプロピレン、ポリ塩化ビニル、ポリカーボネート、ポリメチルメタクリレート、ＡＢＳ樹脂、ポリエステル、ポリフェニレンサルファイド（ＰＰＳ）、ポリアミド、ポリイミド、ポリアセタール等の各種樹脂材料や、アルミニウム、ステンレス鋼等の各種金属材料、その他、ガラス材料や各種セラミックス材料が挙げられる。
【００８５】
本実施の形態において、測定目的とする成分は、ブドウ糖（血糖値）に限らず、例えば、タンパク、コレステロール、アルコール、ナトリウム等の無機イオン、ヘモグロビン等であってもよい。
【００８６】
次に、２つの変形例に係る操作補助具２００ａ及び２００ｂについて説明する。操作補助具２００ａ及び２００ｂについて操作補助具１０と同じ箇所については同符号を付して詳細な説明を省略する。また、カートリッジ３８の薬液はインシュリンに限らず成長ホルモン等であってもよい。
【００８７】
図１６に示すように、第１の変形例に係る操作補助具２００ａは、前記の裏孔１３０に代えて、側方の開口部２０２を有する。開口部２０２は少なくとも一つの側面に設けられ、嵌合孔１１４に嵌合された針収納ケース４２の下端部を臨むように設けられている。操作補助具２００ａは操作補助具１０よりやや高く構成されており、針収納ケース４２の下端部と底板１０ｂまでの間に指を挿入することができる程度の隙間Ｂが設けられている。
【００８８】
このような、操作補助具２００ａによれば、開口部２０２から指を挿入して、針収納ケース４２の下端を押し上げることにより該針収納ケース４２をキャップケース保持部１０２から容易に取り外すことができる。また、針収納ケース４２を取り外す際に、吸盤１３２を載置台から外す必要がない。
【００８９】
図１７に示すように、第２の変形例に係る操作補助具２００ｂは、操作補助具１０から穿刺針保持部１０４、キャップ離脱部１０６、穿刺針離脱部１０８を省略して大幅に小型化したものである。操作補助具２００ｂは、キャップケース保持部１０２と、裏孔１３０又は側方の開口部２０２を有する。
【００９０】
操作補助具２００ｂによれば、キャップケース保持部１０２を有することにより、少なくとも計測具ユニット２４及び注射針ユニット３４を容易に扱うことができる。
【００９１】
本考案に係る操作補助具は、上述の実施の形態に限らず、本考案の要旨を逸脱することなく、種々の構成を採り得ることはもちろんである。
【図面の簡単な説明】
【００９２】
【図１】穿刺装置及び注射針ユニットの側面図である。
【図２】血糖計及び計測具ユニットの斜視図である。
【図３】注射器及び注射針ユニットの側面図である。
【図４】注射針の断面側面図である。
【図５】本実施の形態に係る操作補助具の斜視図である。
【図６】本実施の形態に係る操作補助具の平面図である。
【図７】キャップケース保持部の一部断面斜視図である。
【図８】キャップケース保持部に計測具ユニットを挿入した状態の断面側面図である。
【図９】キャップケース保持部に注射針ユニットを挿入した状態の断面側面図である。
【図１０】穿刺針保持部に穿刺針ユニットを挿入した状態の断面側面図である。
【図１１】キャップ離脱部に穿刺針ユニットを挿入した状態の平面図である。
【図１２】穿刺針離脱部に穿刺針を挿入した状態の平面図である。
【図１３】本実施の形態に係る操作補助具の背面図である。
【図１４】操作補助具を短尺方向に傾動させた状態の側面図である。
【図１５】裏孔に指を挿入した状態の操作補助具の側面図である。
【図１６】第１の変形例に係る操作補助具の側面図である。
【図１７】第２の変形例に係る操作補助具の斜視図である。
【符号の説明】
【００９３】
１０、２００ａ、２００ｂ…操作補助具
１０ａ…本体                              １０ｂ…底板（下面部材）
１１…上面（上面部材）                    １２…穿刺装置
１４…穿刺針ユニット                      １６…穿刺針
１６ａ…針                                １６ｃ…フランジ
１８…キャップ                            ２２…血糖計
２６…計測具                              ２８…計測具ケース
３０、４４…シール                        ３２…注射器
３４…注射針ユニット                      ３６…両頭針
３８…カートリッジ                        ３８ａ…ゴム栓（栓体）
４０…注射器本体                          ４２…針収納ケース
１０２…キャップケース保持部              １０４…穿刺針保持部
１０６…キャップ離脱部                    １０６ａ、１０８ａ…深溝
１０８…穿刺針離脱部                      １１２…嵌合凹部
１１２ａ…底部                            １１４…嵌合孔
１３０…裏孔                              １３２…吸盤
１３６…取付孔                            １３６ａ…大径部
１３６ｂ…小径部
【図１】
0003135393.tif 000003
【図２】
0003135393.tif 000004
【図３】
0003135393.tif 000005
【図４】
0003135393.tif 000006
【図５】
0003135393.tif 000007
【図６】
0003135393.tif 000008
【図７】
0003135393.tif 000009
【図８】
0003135393.tif 000010
【図９】
0003135393.tif 000011
【図１０】
0003135393.tif 000012
【図１１】
0003135393.tif 000013
【図１２】
0003135393.tif 000014
【図１３】
0003135393.tif 000015
【図１４】
0003135393.tif 000016
【図１５】
0003135393.tif 000017
【図１６】
0003135393.tif 000018
【図１７】
0003135393.tif 000019